(57)【要約】【課題】アドレス帳情報を活用することができるネットワーク通信装置を提供すること目的とする。【解決手段】ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、複数の宛先情報をまとめてなるアドレス帳情報を記憶したアドレス帳情報記憶手段を備え、Ｗｅｂサービスクライアントアプリケーションにより、ＵＲＬが指定された状態でアドレス帳情報のバックアップが指令されると、前記アドレス帳情報記憶手段に記憶されているアドレス帳情報を、所定のＦＯＡＦ形式のバックアップファイルに整形し、そのバックアップファイルをＨＴＴＰプロトコルに従って、前記指定されたＵＲＬへ送信するようにした。【選択図】        図１
2007081618.tif 000002
【特許請求の範囲】
【請求項１】
ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、
複数の宛先情報をまとめてなるアドレス帳情報を記憶したアドレス帳情報記憶手段を備え、
Ｗｅｂサービスクライアントアプリケーションにより、ＵＲＬが指定された状態でアドレス帳情報のバックアップが指令されると、前記アドレス帳情報記憶手段に記憶されているアドレス帳情報を、所定のＦＯＡＦ形式のバックアップファイルに整形し、そのバックアップファイルをＨＴＴＰプロトコルに従って、前記指定されたＵＲＬへ送信することを特徴とするネットワーク通信装置。
【請求項２】
Ｗｅｂサービスクライアントアプリケーションにより、ＵＲＬが指定された状態でアドレス帳情報のリストアが指令されると、前記指定されたＵＲＬより前記ＦＯＡＦ形式のバックアップファイルを取得し、その取得したバックアップファイルに基づいて前記アドレス帳情報記憶手段に記憶されているアドレス帳情報を書き換えるようにしたことを特徴とする請求項１記載のネットワーク通信装置。
【請求項３】
Ｗｅｂサービスクライアントアプリケーションにより、前記アドレス帳情報のバックアップ指令がされたとき、当該Ｗｅｂサービスクライアントアプリケーションのユーザが認証済みである場合に限り、前記バックアップ動作を行うとともに、
前記ユーザのユーザ権限が一般ユーザの場合には、当該ユーザに関する前記アドレス帳情報のみを抽出して前記バックアップファイルを作成する一方、前記ユーザのユーザ権限が管理者ユーザの場合には、前記アドレス帳情報の全てのユーザに関する情報について前記バックアップファイルを作成することを特徴とする請求項１記載のネットワーク通信装置。
【請求項４】
Ｗｅｂサービスクライアントアプリケーションから選択された表示対象毎にファイル分割して前記ＦＯＡＦ形式のｓｅｅＡｌｓｏ要素で対照関係を表現し、単一の前記バックアップファイルを作成するようにしたことを特徴とする請求項１記載のネットワーク通信装置。
【請求項５】
Ｗｅｂサービスクライアントアプリケーションから個別に選択された宛先項目毎にアドレス帳情報の要素を抽出して前記バックアップファイルを作成するとともに、当該選択時に検索条件が指定された場合には、当該指定された検索条件を前記バックアップファイルに含めることを特徴とする請求項１記載のネットワーク通信装置。
【請求項６】
前記バックアップファイルにおいて、Ｗｅｂサービスクライアントアプリケーションから個別に選択されたそれぞれの宛先項目を前記ＦＯＡＦ形式のｎａｍｅ要素で表現し、当該宛先項目の具体的内容は、対応する前記ＦＯＡＦ形式のｓｅｅＡｌｓｏ要素で表現することを特徴とする請求項１記載のネットワーク通信装置。
【請求項７】
前記バックアップファイルにおいて、見出しの項目毎にファイル分割し、前記ＦＯＡＦ形式のｓｅｅＡｌｓｏ要素で表現することを特徴とする請求項１記載のネットワーク通信装置。
【発明の詳細な説明】
【技術分野】
【０００１】
本発明は、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置に関する。
【背景技術】
【０００２】
従来、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置では、ネットワークを介して装置内部の設定を行うことができるようにしたものや、通信装置の履歴情報をＷｅｂページとして参照できるようにしたものが提案されている（特許文献１，２参照）。
【０００３】
このような通信装置では、直接、当該通信装置の設置場所へ赴かなくとも装置内部の設定を行うことができ、また、例えば、パーソナルコンピュータ装置等の操作の自由度の高い操作装置を利用して設定操作が行えるので、操作が簡単になる。
【特許文献１】特開２０００−９２２６２号公報
【特許文献２】特開２００２−７０９５号公報
【発明の開示】
【発明が解決しようとする課題】
【０００４】
しかしながら、このような従来装置では、ネットワーク通信装置の情報取得はＷｅｂブラウザ経由で行っていたが、ＨＴＭＬファイルをブラウザで表示するだけであったので、データの２次利用や簡易的な方法で表示することができなかった。
【０００５】
本発明は、かかる実情に鑑みてなされたものであり、アドレス帳情報を活用することができるネットワーク通信装置を提供すること目的とする。
【課題を解決するための手段】
【０００６】
本発明は、ネットワークに接続され、所定のＨＴＴＰプロトコルによりデータをやりとりするＨＴＴＰ通信機能と、公衆回線に接続され、所定のファクシミリ伝送手順によりファクシミリデータをやりとりするファクシミリ通信機能を少なくとも備えたネットワーク通信装置において、複数の宛先情報をまとめてなるアドレス帳情報を記憶したアドレス帳情報記憶手段を備え、Ｗｅｂサービスクライアントアプリケーションにより、ＵＲＬが指定された状態でアドレス帳情報のバックアップが指令されると、前記アドレス帳情報記憶手段に記憶されているアドレス帳情報を、所定のＦＯＡＦ形式のバックアップファイルに整形し、そのバックアップファイルをＨＴＴＰプロトコルに従って、前記指定されたＵＲＬへ送信するようにしたものである。
【０００７】
また、Ｗｅｂサービスクライアントアプリケーションにより、ＵＲＬが指定された状態でアドレス帳情報のリストアが指令されると、前記指定されたＵＲＬより前記ＦＯＡＦ形式のバックアップファイルを取得し、その取得したバックアップファイルに基づいて前記アドレス帳情報記憶手段に記憶されているアドレス帳情報を書き換えるようにしたものである。
【０００８】
また、Ｗｅｂサービスクライアントアプリケーションにより、前記アドレス帳情報のバックアップ指令がされたとき、当該Ｗｅｂサービスクライアントアプリケーションのユーザが認証済みである場合に限り、前記バックアップ動作を行うとともに、前記ユーザのユーザ権限が一般ユーザの場合には、当該ユーザに関する前記アドレス帳情報のみを抽出して前記バックアップファイルを作成する一方、前記ユーザのユーザ権限が管理者ユーザの場合には、前記アドレス帳情報の全てのユーザに関する情報について前記バックアップファイルを作成するようにしたものである。
【０００９】
また、Ｗｅｂサービスクライアントアプリケーションから選択された表示対象毎にファイル分割して前記ＦＯＡＦ形式のｓｅｅＡｌｓｏ要素で対照関係を表現し、単一の前記バックアップファイルを作成するようにしたものである。
【００１０】
また、Ｗｅｂサービスクライアントアプリケーションから個別に選択された宛先項目毎にアドレス帳情報の要素を抽出して前記バックアップファイルを作成するとともに、当該選択時に検索条件が指定された場合には、当該指定された検索条件を前記バックアップファイルに含めるようにしたものである。
【００１１】
また、前記バックアップファイルにおいて、Ｗｅｂサービスクライアントアプリケーションから個別に選択されたそれぞれの宛先項目を前記ＦＯＡＦ形式のｎａｍｅ要素で表現し、当該宛先項目の具体的内容は、対応する前記ＦＯＡＦ形式のｓｅｅＡｌｓｏ要素で表現するようにしたものである。
【００１２】
また、前記バックアップファイルにおいて、見出しの項目毎にファイル分割し、前記ＦＯＡＦ形式のｓｅｅＡｌｓｏ要素で表現するようにしたものである。
【発明の効果】
【００１３】
したがって、本発明によれば、機器のアドレス帳情報を標準ＸＭＬフォーマットであるＦＯＡＦ形式でバックアップすることができるので、アドレス帳データの再利用が簡単にできるという効果を得る。
【発明を実施するための最良の形態】
【００１４】
以下、添付図面を参照しながら、本発明の実施の形態を詳細に説明する。
【００１５】
図１は、本発明の一実施例にかかるネットワークシステムを示している。
【００１６】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１７】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１９】
また、ネットワークファクシミリ装置ＦＸは、画情報や各種レポートなどを電子メールとしてやりとりするための電子メール処理機能、アナログ公衆回線網ＰＳＴＮに接続し、この公衆網を伝送路として用いてグループ３ファクシミリ伝送手順による画情報伝送を行うファクシミリ通信機能、および、ＨＴＴＰプロトコルにより各種の情報を外部装置へ提供するＷｅｂサーバ機能を備えている。
【００２０】
図２は、ネットワークファクシミリ装置ＦＸの構成例を示している。
【００２１】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このネットワークファクシミリ装置ＦＸをアナログ公衆回線網ＰＳＴＮに接続するためのものであり、自動発着信機能を備えている。
【００２６】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２８】
また、網制御装置１１とグループ３ファクシミリモデム１０との間のデータのやりとりは、直接行なわれている。
【００２９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３０】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３１】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３２】
また、ＨＴＴＰとは、”Ｈｙｐｅｒ  Ｔｅｘｔ  Ｔｒａｎｓｆｅｒ  Ｐｒｏｔｏｃｏｌ”の略で、いわゆるＷＷＷ（Ｗｏｒｌｄ−Ｗｉｄｅ  Ｗｅｂ）を実現するためのプロトコルである。通常、ＴＣＰ上（ポート番号：８０）でやりとりされる。例えば、図３に示すように、ＧＥＴやＰＯＳＴなどのコマンドにより、ワークステーション装置ＷＳで実行されているＷｅｂブラウザがネットワークファクシミリ装置ＦＸのＨＴＴＰサーバに対して、処理を指定し、そのレスポンスとして、ＸＭＬ（ｅＸｔｅｎｓｉｂｌｅ  Ｍａｒｋｕｐ  Ｌａｎｇｕａｇｅ）ファイル、ＨＴＭＬ（Ｈｙｐｅｒ  Ｔｅｘｔ  Ｍａｒｋｕｐ  Ｌａｎｇｕａｇｅ）ファイル、あるいは、画像ファイルなどがＨＴＴＰサーバから送られてくる。本実施例では、後述するように、セマンティックＸＭＬ文書としてＦＯＡＦ情報等をクライアントに対して提供できるようにしている。
【００３３】
また、ＸＭＬは、Ｗ３Ｃ（ＷＷＷ技術の標準化団体）の勧告（Ｒｅｃｏｍｍｅｎｄａｔｉｏｎ）で定められたものであり、ＳＧＭＬ（ＩＳＯ／ＩＥＣ  ８８７９：１９８６）を簡略化してインターネット対応したものである。このＸＭＬは、ＨＴＭＬと違い、任意のタグが使用可能である。また、データと処理（レイアウト（デザイン））の分離して記述できる。
【００３４】
また、セマンティックＸＭＬ文書とは、いわゆるセマンティックＷｅｂ技術の機能を実現するためのファイル様式をＸＭＬで実現したものを指す。例えば、ＲＤＦ（Ｒｅｓｏｕｒｃｅ  Ｄｅｓｃｒｉｐｔｉｏｎ  Ｆｒａｍｅｗｏｒｋ）に準拠したものとしては、ＲＳＳ（Ｒｉｃｈ  Ｓｉｔｅ  Ｓｕｍｍａｒｙ「１．０系列」またはＲｅａｌ  Ｓｉｍｐｌｅ  Ｓｙｎｄｉｃａｔｉｏｎ「０．９−２．０系列」）がある。また、ＲＳＳと同様の機能を実現するものとしてＡｔｏｍがある。ＲＳＳについての解説は、http://kanzaki.com/docs/sw/rss.html（２００５年９月１２日現在アクセス可能）を参照のこと。また、Ａｔｏｍについての解説は、http://www.kanzaki.com/docs/sw/atom.htmlを参照のこと（２００５年９月１２日現在アクセス可能）。
【００３５】
また、本実施例では、ＦＯＡＦを利用して、端末情報や関連端末情報を他の端末へ提供する。ここで、ＦＯＡＦとは、「ｔｈｅ  ’Ｆｒｉｅｎｄ  ｏｆ  ａ  Ｆｒｉｅｎｄ（友達の友達）’  ｖｏｃａｂｕｌａｒｙ」の略語で、自分自身の情報や友達など、人物に関する情報を標準化されたデータ形式で公開／共有することができるように定められたものであり、「ｔｈｅ  ｆｏａｆ  ｐｒｏｊｅｃｔ  （http://www.foaf-project.org/；（２００４年１１月１７日現在アクセス可能）」で標準化の作業が行われている。
【００３６】
なお、ＦＯＡＦについての解説は、http://www.kanzaki.com/docs/sw/foaf.html（メタデータによる知人ネットワークの表現）、http://www-6.ibm.com/jp/developerworks/xml/020906/j_x-foaf.html（ＸＭＬとRDFによる友達の検索）等に詳しいので参照のこと（２００５年９月１２日現在アクセス可能）。
【００３７】
このＦＯＡＦでは、個人情報だけでなく他の人との「つながり」を表現することができるのが特徴であり、本実施例では、これを人と人の関係ではなくて、通信装置と通信装置の間の関係に置き換えて表現できるように拡張するとともに、アドレス帳情報（後述）の内容をバックアップする際のバックアップファイルを記述する形式として採用したものである。ここで、通信装置とは、本実施例のようなネットワークファクシミリ装置ＦＸやネットワーク対応の複合機（複写機機能、ファクシミリ機能、スキャナ機能等を統合して備えたもの）などが含まれる。
【００３８】
本実施例では、ＦＯＡＦ関連情報として、例えば、図３（ａ）に示したようなものを備える。このＦＯＡＦ関連情報は、ＦＯＡＦ情報を公開するか否かを指定するための公開フラグ、自端末に設定されているメールアドレス、自端末に設定されているＩＰアドレス、自端末に設定されているＷｅｂページのＵＲＬをあらわすＷｅｂ機能ＵＲＬ、自端末に設定されているホスト名、自端末を所有する会社が開設しているＷｅｂページのＵＲＬをあらわす会社ＵＲＬ、自端末が設置されている会社の部署等の名称をあらわす会社組織名、当該部署で開設しているＷｅｂページのＵＲＬをあらわす会社組織ＵＲＬ、自端末に登録されている発端末識別子（ＣＳＩ）、自端末の製造メーカ等をあらわす製造会社情報、ＦＯＡＦ情報として後続の関連機器情報を含めるか否かを設定するための関連機器公開フラグ、自端末に関連した端末の情報として登録されている１つ以上の関連機器情報＃１〜＃ｋからなる。
【００３９】
これらのＦＯＡＦ関連情報の各要素は、例えば、ＦＯＡＦ関連情報テーブルとして一つのテーブルを構成することで登録することができるほか、よりプリミティブな機能の設定情報として登録された情報を使用することができる。例えば、メールアドレスは、電子メール通信機能に登録されたメールアドレスを使用でき、ＩＰアドレスは、ＬＡＮ伝送制御部１３がＤＨＣＰクライアント機能により取得したものを利用することができる。また、ＣＳＩは、グループ３ファクシミリ通信機能に設定されるので、それを利用することができる。
【００４０】
したがって、これらのＦＯＡＦ関連情報の全ての要素が登録されているとは限らないので、後述するように、登録された内容のみを取得し、ＦＯＡＦ情報を構成する。
【００４１】
また、製造会社情報としては、同図（ｂ）に示すように、製造会社名、機種名（モデル名）、自端末の機種について製造会社で公開されている写真を取得するための写真ＵＲＬ、自端末の機種について製造会社で公開されているカタログを取得するためのカタログＵＲＬ、および、製造会社のサポート等へアクセスする際に参照すべきメールアドレスをあらわす製造会社メールアドレスからなる。
【００４２】
また、関連機器情報は、同図（ｃ）に示すように、機器のＩＰアドレス、ホスト名、メールアドレス、および、ＵＲＬからなる。ここで、ＵＲＬは、当該機器のＦＯＡＦファイルをアクセスするためのものである。
【００４３】
また、本実施例におけるアドレス帳ファイルは、図４（ａ）に示すように、複数のアドレス情報を登録したものであり、それぞれのアドレス情報は、同図（ｂ），（ｃ）に示すような多数の項目を持つ。なお、アドレス情報のおのおのの項目の説明については、省略する。
【００４４】
さて、本実施例では、ネットワークファクシミリ装置ＦＸは、Ｗｅｂサーバー機能により機器情報へアクセス可能なＷｅｂページを公開しており、そのトップページの画面の一例を図５に示す。
【００４５】
この機器情報表示画面は、当該ＷｅｂページのＵＲＬ（Ｗｅｂ機能ＵＲＬ）が最上部の表示欄ＤＰ１に表示され（通常、Ｗｅｂページの表示機能で表示される）、その下の表示欄ＤＰ２には、メーカーロゴ、モデル名、関連リンクの表示、および、ＦＯＡＦ情報を取得する操作要素を示すアイコンＩＣＦが表示され、その下の左側の表示欄ＤＰ３には、表示項目の一覧が表示され、表示欄ＤＰ３の右側に配置される最も大きい表示欄ＤＰ４には、選択された表示項目の内容が表示される。また、表示欄ＤＰ３には、ユーザのログイン操作を行うための操作項目ＩＭ１が配置されている。
【００４６】
ここで、この図で重要なのは、機器情報表示画面に、ＦＯＡＦ情報の取得を要求する操作を促すアイコンＩＣＦが表示されている点である。ただし、このアイコンＩＣＦの表示は、ＦＯＡＦ関連情報の公開フラグが「公開しない」に設定されている場合には、表示されないか、あるいは、クリック操作された場合にエラーを返す。
【００４７】
さて、本実施例では、後述のように、アドレス帳情報をバックアップする際、例えば、図６に示すようなＦＯＡＦ情報（ＸＭＬ形式；ヘッダ情報およびトレイル情報を除く）を作成する。
【００４８】
ここで、図示のＦＯＡＦ情報は、全ての項目に情報要素が設定されていて、かつ、２つのアドレス情報が登録されている場合を示している。後半のｋｎｏｗｓ要素にアドレス帳データ部分を表現する。また、アドレス帳データは、番号順に上から並べていく。欠番がある場合には、Ｐｅｒｓｏｎ要素が空のタグのみが存在する。これによりアドレス帳番号との整合が取れるようになる。
【００４９】
また、同図中、ｆｏａｆで始まる要素名（ｆｏａｆ：Ｐｅｒｓｏｎ等）は、ｆｏａｆモジュールに規定されている要素名であり、ｒｄｆで始まる要素名（ｒｄｆ：ＲＤＦ）は、ＲＤＦで規定されている要素名をあらわす。
【００５０】
ここで、以下の説明で、「ドメイン」とは、ｆｏａｆタグで囲まれたひとまとまりの情報をあらわす。例えば、＜ｆｏａｆ：Ｐｅｒｓｏｎ＞と＜／ｆｏａｆ：Ｐｅｒｓｏｎ＞で囲まれた情報は、Ｐｅｒｓｏｎドメインという。また、それぞれの要素としてセットされる内容は、ＦＯＡＦ関連情報として登録された各情報要素の値である。
【００５１】
同図において、行番号６〜２４が自端末に関する情報であり、行番号２５〜３５のｋｎｏｗｓドメインが１番目のアドレス情報（アドレス帳００１のデータ）であり、行番号３６〜４６のｋｎｏｗｓドメインが１番目のアドレス情報（アドレス帳００１のデータ）である。
【００５２】
自端末の情報において、行番号６の「＜ｆｏａｆ：ｎａｍｅ＞ｘｘｘ．ｙｙｙ．ｚｚ．ｘｘｘ＜／ｆｏａｆ：ｎａｍｅ＞」には「（自端末の）ＩＰアドレス」がセットされ、行番号７の「＜ｆｏａｆ：ｎｉｃｋ＞ｇｗ＿ｔａｒｇｅｔ１２＜／ｆｏａｆ：ｎｉｃｋ＞」には「ホスト名」がセットされ、行番号８の「＜ｆｏａｆ：ｍｂｏｘ  ｒｄｆ：ｒｅｓｏｕｒｃｅ＝”ｍａｉｌｔｏ：ｇｗ＿ｔａｒｇｅｔ１２＠ｄｍｎ０１．ｕｓｅｒｗｏｒｋｐｌａｃｅ．ｃｏ．ｊｐ”／＞」には「（自端末の）メールアドレス」がセットされ、行番号９の「＜ｆｏａｆ：ｈｏｍｅｐａｇｅ  ｒｄｆ：ｒｅｓｏｕｒｃｅ＝”ｈｔｔｐ：／／１３３．ｘｘｘ．６１．１０２／ｗｅｂ／ｇｕｅｓｔ／ｊａ／ｗｅｂｓｙｓ／ｗｅｂＡｒｃｈ／ｍａｉｎＦｒａｍｅ．ｃｇｉ”／＞」には「（自端末の）Ｗｅｂ機能ＵＲＬ」がセットされ、行番号１０の「＜ｆｏａｆ：ｐｈｏｎｅ  ｒｄｆ：ｒｅｓｏｕｒｃｅ＝”ｔｅｌ：０１２３−４５６−７８９０”／＞」には「ＣＳＩ（電話番号）」がセットされる。
【００５３】
また、行番号１１の「＜ｆｏａｆ：ｗｏｒｋｐｌａｃｅＨｏｍｅｐａｇｅ  ｒｄｆ：ｒｅｓｏｕｒｃｅ＝”ｈｔｔｐ：／／ｗｗｗ．ｕｓｅｒｗｏｒｋｐｌａｃｅ．ｃｏ．ｊｐ／”／＞」には「会社ＵＲＬ」がセットされる。
【００５４】
行番号１２〜１５は、会社組織に関する情報（Ｏｒｇａｎｉｚａｔｉｏｎドメイン）である。行番号１３「＜ｆｏａｆ：ｎａｍｅ＞ＵｓｅｒＷｏｒｋｐｌａｃｅＮａｍｅ＜／ｆｏａｆ：ｎａｍｅ＞」には「会社組織名」がセットされ、行番号１４の「＜ｆｏａｆ：ｈｏｍｅｐａｇｅ  ｒｄｆ：ｒｅｓｏｕｒｃｅ＝”ｈｔｔｐ：／／ｗｗｗ．ｕｓｅｒｗｏｒｋｐｌａｃｅ．ｃｏ．ｊｐ／ｐｒｏｊｅｃｔ／”／＞」には「会社組織ＵＲＬ」がセットされる。
【００５５】
行番号１６〜２４は、製造会社に関する情報（ｍａｋｅｒドメイン）である。行番号１８の「＜ｆｏａｆ：ｎａｍｅ＞ＭＡＫＥＲ＜／ｆｏａｆ：ｎａｍｅ＞」には「製造会社名」がセットされ、行番号１９の「＜ｆｏａｆ：ｎｉｃｋ＞ＭＯＤＥＬ  Ｎｅｏ２７１＜／ｆｏａｆ：ｎｉｃｋ＞」がセットされ、行番号２０の「＜ｆｏａｆ：ｄｅｐｉｃｔｉｏｎ  ｒｄｆ：ｒｅｓｏｕｒｃｅ＝”ｈｔｔｐ：／／ｗｗｗ．ＭＡＫＥＲ．ｃｏ．ｊｐ／ＭＯＤＥＬ／ｎｅｏ／２７１／ｉｍｇ／ｉｎｄｅｘ＿５．ｊｐｇ”／＞」には「写真ＵＲＬ」がセットされ、行番号２１の「＜ｆｏａｆ：ｈｏｍｅｐａｇｅ  ｒｄｆ：ｒｅｓｏｕｒｃｅ＝”ｈｔｔｐ：／／ｗｗｗ．ＭＡＫＥＲ．ｃｏ．ｊｐ／ＭＯＤＥＬ／ｎｅｏ／２７１／”／＞」には「カタログＵＲＬ」がセットされ、行番号２２の「＜ｆｏａｆ：ｍｂｏｘ  ｒｄｆ：ｒｅｓｏｕｒｃｅ＝”ｍａｉｌｔｏ：ｓｕｐｐｐｏｒｔ＠ＭＡＫＥＲ．ｃｏ．ｊｐ”／＞」には「製造会社メールアドレス」がセットされる。
【００５６】
また、ｋｎｏｗｓドメインにおいては、ｎａｍｅ要素（行番号２７，３８）に「表示名」がセットされ、ｎｉｃｋ要素（行番号２８，３９）には「所属グループ（グループ番号）」がセットされ、ｍｂｏｘ要素（行番号２９，４０）には「ｅ−ｍａｉｌ（メールアドレス）」がセットされ、ｐｈｏｎｅ要素（行番号３０，４１）には「ファクス番号」がセットされ、ｄｅｐｉｃｔｉｏｎ要素（行番号３１，４２）には「顔写真のＵＲＬ」がセットされ、ｈｏｍｅｐａｇｅ要素（行番号３２，４３）には「機器のＨＰのＵＲＬ」がセットされ、ｓｅｅＡｌｓｏ要素（行番号３３，４４）には「詳細データを表すファイルをゲットする際のＵＲＬＵＲＬ」がセットされる。
【００５７】
そして、このようなＦＯＡＦ情報を受信した端末では、ＦＯＡＦクライアントが、例えば、図７に示すような画面を表示して、ＦＯＡＦ情報を取得要求したネットワークファクシミリ装置ＦＸと、それに関連する他の端末の関係をあらわすグラフを表示する。
【００５８】
この場合、中央のシンボルＳＢ１には、ＦＯＡＦ情報を直接取得した端末のニックネーム（ホスト名）が表示され、シンボルＳＢ１の左上のシンボルＳＢ２には、受信したＦＯＡＦ情報の１番目に登録されているｋｎｏｗｓドメインに登録されていたアドレス情報のニックネームが表示され、シンボルＳＢ１の右下のシンボルＳＢ３には、受信したＦＯＡＦ情報の２番目に登録されているｋｎｏｗｓドメインに登録されていたアドレス情報のニックネームが表示され、シンボルＳＢ１を中心にして、シンボルＳＢ２およびシンボルＳＢ３に、関係がある旨をあらわす直線が引かれている。
【００５９】
登録されているアドレス情報の数が多い場合には、より多くの項目が表示される。
【００６０】
さて、ワークステーション装置ＷＳのユーザが図５に示した表示画面を表示させた状態で、この表示画面の操作項目ＩＭ１を操作してログインを指定すると、所定のログイン画面（図示略）が表示されて、ログイン動作が行われる。ログインに成功すると、ユーザ別の操作画面（図示略）に移行し、当該操作画面からアドレス帳の操作を選択すると、図８に示すように、当該ユーザが登録したアドレス帳の画面（アドレス帳Ｗｅｂ画面）が表示される。
【００６１】
このアドレス帳Ｗｅｂ画面では、画面の上部に「変更」、「追加」、「削除」、「メンテナンス」の４つの作業を指定するための操作項目ＩＭ２，ＩＭ３，ＩＭ４，ＩＭ５が表示され、その下には、指定された表示対象の一覧表示ＤＰ１０が表示される。この一覧表示ＤＰ１０の左端には、それぞれの項目を選択するためのチェックボックスＸＢが設けられている。
【００６２】
また、一覧表示ＤＰ１０に表示する内容は、「表示対象」の選択部ＳＬ１から選択することができる。「表示対象」の候補としては、全て／グループ／ファクス／メール／フォルダなどがある。この表示例は、「表示対象」として「すべて」が選択された場合を示している。
【００６３】
また、「検索実行」の操作項目ＩＭ６が操作されると、「検索」条件の入力部ＳＬ２に入力された内容を適用して、当該ユーザのアドレス帳が検索され、その検索結果が一覧表示ＤＰ１０に表示される。
【００６４】
また、このアドレス帳Ｗｅｂ画面から、「変更」の操作項目ＩＭ２、または、「追加」の操作項目ＩＭ３が操作されると、図９に一部を示すような個別アドレスの操作画面（アドレス帳Ｗｅｂ個別画面）が表示されて、種々の項目の操作を行うことができる。
【００６５】
また、このアドレス帳Ｗｅｂ画面から、「メンテナンス」の操作項目ＩＭ５が操作されると、メンテナンス画面（図示略）へと画面が切り替わる。このメンテナンス画面には、装置に記憶されているアドレス帳情報をバックアップするための「バックアップ」の操作項目と、装置のアドレス帳情報の内容を、バックアップされたアドレス帳情報に書き換えるための「リストア」の操作項目が含まれる。
【００６６】
そして、メンテナンス画面から「バックアップ」の操作項目が操作されると、図１０に示すようなバックアップ画面が表示される。このバックアップ画面には、バックアップ動作の実行を指示するための「バックアップ実行」の操作項目ＩＭ１１、バックアップファイルを保存する場所を指定するための入力欄ＲＲ、ファイルを参照するための操作項目ＩＭ１２、バックアップの内容を確認するための操作項目ＩＭ１３が設けられている。
【００６７】
入力欄ＲＲにバックアップファイルのＵＲＬを指定し、操作項目ＩＭ１１を操作して、バックアップの実行を指定すると、そのときのユーザのログイン内容、および、アドレス帳Ｗｅｂ画面の表示内容に応じて、次のようなＦＯＡＦファイルが形成され、ＵＲＬで指定されたバックアップファイルが形成される保存される。
【００６８】
図１１は、アドレス帳Ｗｅｂ画面の一覧画面にある「表示対象」として「すべて」が選択された場合に作成されるＦＯＡＦファイルの一例を示している。この場合、「ファクス」、「メール」、「フォルダ」について、それぞれ表題がｎａｍｅ要素として設けられ、実際の詳細内容は、別ファイルとして作成され、それらを参照するＵＲＬが、対応するｋｎｏｗｓドメインのｓｅｅＡｌｓｏ要素に記述されている。
【００６９】
図１２は、図８のアドレスＷｅｂ画面の一覧表示ＤＰ１０にある見出しごとにバックアップをした場合のＦＯＡＦファイルの一例を示している。この場合、「見出し」の候補としては、常用（ｃｏｍｍｏｎ）／見出し１（ｔａｇＳｅｔ１）／見出し２（ｔａｇＳｅｔ２）／見出し３（ｔａｇＳｅｔ３）などがある。ｎａｍｅ要素で「見出し」の候補を表し、その具体的な内容については、ｓｅｅＡｌｓｏ要素の先に示されたファイルに記述することができる。
【００７０】
図１３は、図８のアドレスＷｅｂ画面で検索条件が指定された状態で、バックアップをした場合のＦＯＡＦファイルの一例を示している。この検索結果は、機器の情報を表す最初のＰｅｒｓｏｎ要素内のｈｏｍｅｐａｇｅ要素のＵＲＬで示す。？以降に検索条件を記載する。
【００７１】
下記は、ユーザー名に”Ｓｈｉｎｏ”を含むアドレス帳データを検索した結果を示す。
【００７２】
＜ｆｏａｆ：ｈｏｍｅｐａｇｅ  ｒｄｆ：ｒｅｓｏｕｒｃｅ＝”ｈｔｔｐ：／／ｘｘｘ．ｙｙｙ．ｚｚ．ｘｘｘ／ｗｅｂ／ｅｎｔｒｙ／ｊａ／ａｄｄｒｅｓｓ／ａｄｒｓＧｅｔＵｓｅｒ．ｃｇｉ？Ｎａｍｅ＝Ｓｈｉｎｏ”／＞
【００７３】
他には、例えば、登録番号（Ｒｅｇｉｓｔｒａｔｉｏｎ  Ｎｏ．）、ユーザーコード（Ｕｓｅｒ  ｃｏｄｅ）、ファクス番号（Ｆａｘ  Ｎｏ．）、メールアドレス（Ｅ−ｍａｉｌ  Ａｄｄｒｅｓｓ）やフォルダ名（Ｆｏｌｄｅｒ）などが可能である。
【００７４】
また、複数の検索条件をつける場合は、次のように、ＵＲＬの後に続けて記載する。
【００７５】
＜ｆｏａｆ：ｈｏｍｅｐａｇｅ  ｒｄｆ：ｒｅｓｏｕｒｃｅ＝”ｈｔｔｐ：／／ｘｘｘ．ｙｙｙ．ｚｚ．ｘｘｘ／ｗｅｂ／ｅｎｔｒｙ／ｊａ／ａｄｄｒｅｓｓ／ａｄｒｓＧｅｔＵｓｅｒ．ｃｇｉ？Ｎａｍｅ＝Ｓｈｉｎｏ＆ＦａｘＮｏ＝０３”／＞
【００７６】
図１４は、ユーザ別のバックアップファイルを行う場合のＦＯＡＦファイルの一例を示している。この場合、どのユーザーのアドレス帳かは、ｎａｍｅ要素でログインユーザー名を表し、その具体的な内容については、ｓｅｅＡｌｓｏ要素の先に示されたファイルに記述することができる。
【００７７】
また、ユーザが一般ユーザの場合には、当該ユーザのみのアドレス情報がＦＯＡＦファイルに保存される。また、ユーザが管理者ユーザの場合には、全てのユーザのアドレス情報がＦＯＡＦファイルに保存される。
【００７８】
図１５は、ユーザ別のバックアップファイルを行う場合のＦＯＡＦファイルの他の例を示している。この場合には、ｓｅｅＡｌｓｏ要素を使わずにｋｎｏｗｓ要素内に示している。その場合には、ｎａｍｅ要素には、アドレス帳の名称を示し、ｎｉｃｋ要素でログインユーザー名を表します。
【００７９】
図１６は、ＦＯＡＦ情報の取得が要求されたときのネットワークファクシミリ装置ＦＸが行うシーケンスの一例を示し、図１７は、その際に行う処理の一例を示している。
【００８０】
まず、情報取得リクエストを受信すると（判断１０１の結果がＹＥＳ）、受信したＵＲＬを解析し（処理１０２）、ＦＯＡＦリクエストであるかどうかを調べる（判断１０３）。
【００８１】
判断１０３の結果がＹＥＳになるときには、ＦＯＡＦ関連情報の公開フラグが「公開を許可する」に設定されているかどうかを調べ（判断１０４）、判断１０４の結果がＹＥＳになるときには、ＦＯＡＦ関連情報に基づいて上述したようなＦＯＡＦ情報ファイルを作成し（処理１０５）、レスポンスデータとして要求元へ送信する（処理１０６）。
【００８２】
また、判断１０４の結果がＮＯになるとき、および、判断１０３の結果がＮＯになるときには、エラー応答をあらわす「４０４  ＮｏｔＦｏｕｎｄ（元来の意味は、「要求されたページが見つからない」の意）」を応答する（処理１０７）。
【００８３】
また、アドレス帳Ｗｅｂ画面からメンテナンス画面へ画面が切り替わり、このメンテナンス画面から「リストア」の操作項目が操作されると、図１８に示すようなリストア画面が表示される。このリストア画面には、リストア動作の実行を指示するための「リストア実行」の操作項目ＩＭ１５、使用するリストアファイルのＵＲＬを指定するための入力欄ＲＲ２、ファイルを参照するための操作項目ＩＭ１６、および、リストアの内容を確認するための操作項目ＩＭ１７が設けられている。
【００８４】
そして、入力欄ＲＲ２にリストアファイル（ＦＯＡＦファイル）のＵＲＬが入力された状態で、リストア実行の操作項目ＩＭ１５が操作されると、入力されたＵＲＬからファイルを取得し、その内容に基づいて、アドレス帳情報の内容を書き換える。
【００８５】
このときの処理の一例を図１９に示す。
【００８６】
まず、バックアップデータとしてＦＯＡＦファイルをＨＴＴＰプロトコル等によりクライアントソフトから機器に対して送信します。機器がファイルを受信したらＦＯＡＦデータかどうか解析します（判断２０１，２０２）。アドレス帳フォーマットに合致していなければ（判断２０３の結果がＮＯ）、エラーを返してリストアが失敗したことをクライアントに伝えます（処理２０４）。
【００８７】
アドレス帳フォーマットに合致していれば（判断２０３の結果がＹＥＳ）、ｋｎｏｗｓ要素があるか調べる。ない場合（判断２０５の結果がＮＯ）は、空のアドレス帳として何も登録しない（処理２０６）。
【００８８】
ｋｎｏｗｓ要素があった場合には（判断２０５の結果がＹＥＳ）、次にｓｅｅＡｌｓｏ要素があるかどうか調べる（判断２０７）。
【００８９】
もしｓｅｅＡｌｓｏ要素があった場合（判断２０７の結果がＹＥＳ）には、その先のＵＲＬにあるファイルを読み込む（処理２０８）。ここで、ｓｅｅＡｌｓｏ要素はローカルアドレスでもインターネットアドレスでも機器がアクセスできれば参照可能である。ただし、設定によってインターネットアドレスを禁止することも可能とする。ｓｅｅＡｌｓｏ要素に記述されたＵＲＬから情報が取得できた場合は（判断２０９の結果がＹＥＳ）、その情報をアドレス帳データとして記載し（処理２１０）、判断２０５へ戻る。
【００９０】
一方、ｓｅｅＡｌｓｏ要素がない場合には（判断２０７の結果がＮＯ）、処理２１０へ進み、図６の例に示すように、ｎａｍｅ要素、ｍｂｏｘ要素、ｐｈｏｎｅ要素など最低限の情報を登録し、判断２０５へ戻る。
【００９１】
ところで、アドレス帳情報をＣＳＶ（Ｃｏｍｍａ  Ｓｅｐａｒａｔｅｄ  Ｖａｌｕｅ）ファイル形式で保存することもできる。その場合の一例を図２０に示す。
【００９２】
また、このようなＣＳＶファイル形式のバックアップファイルを選択するときには、例えば、図２１に示すような画面を適用する。
【００９３】
また、ＣＳＶファイル形式のバックアップファイルが選択された場合、１つの項目について、ＣＳＶからＸＭＬファイルの記述に変換した例を図２２（ａ），（ｂ）に示す。ここで、ＸＭＬフォーマットについては、一例である。ＦＯＡＦ定義に当てはまらない要素は、ｓｅｅＡｌｓｏ要素の先に独自形式のＸＭＬファイルを配置することで参照できるようにしてもよい。
【００９４】
このようにして、本実施例では、機器のアドレス帳情報を標準ＸＭＬフォーマットであるＦＯＡＦ形式でバックアップすることができるので、アドレス帳データの再利用が簡単にできる。
【００９５】
また、機器のアドレス帳情報を標準ＸＭＬフォーマットであるＦＯＡＦ形式でリストアすることができるので、アドレス帳データの再利用が簡単にできる。
【００９６】
また、機器の持つ検索機能と組み合わせてアドレス帳情報を複数のＦＯＡＦファイルに分割保存することができるので、必要なアドレス帳データのみを抽出することにより無駄のないデータ利用が簡単にできる。また、それを１つにまとめて表現できるので、情報の取りまとめを行うことができる。
【００９７】
また、機器の提供する認証機能と組み合わせて機器のアドレス帳情報を標準ＸＭＬフォーマットであるＦＯＡＦ形式で公開・共有することができるので、汎用性を提供しながらセキュリティーを満足させるようにすることができる。
【００９８】
また、機器の持つ表現単位でアドレス帳情報を複数のＦＯＡＦファイルに分割保存することができるので、必要なアドレス帳データのみを抽出することにより無駄のないデータ利用が簡単にできる。また、それを１つにまとめて表現できるので、情報の取りまとめを行うことができる。
【００９９】
また、機器の持つ検索機能と組み合わせてアドレス帳情報を標準ＸＭＬフォーマットであるＦＯＡＦ形式で公開・共有することができるので、必要なアドレス帳データのみを抽出することにより無駄のないデータ利用が簡単にできる。また、検索条件もファイルに保存されるので、ファイルの内容が後からわからなくなることを防げぎ、更に再検索が容易にできるようにすることができる。
【０１００】
また、機器の持つ表現単位でアドレス帳情報を複数のＦＯＡＦファイルに分割保存することができるので、必要なアドレス帳データのみを抽出することにより無駄のないデータ利用が簡単にできる。また、それを１つにまとめて表現できるので、情報の取りまとめを行うことができる。
【０１０１】
また、機器の持つ見出し情報でアドレス帳情報を複数のＦＯＡＦファイルに分割保存することができるので、必要なアドレス帳データのみを抽出することにより無駄のないデータ利用が簡単にできる。また、それを１つにまとめて表現できるので、情報の取りまとめを行うことができる。
【０１０２】
また、複数のバックアップファイルを１つのＦＯＡＦファイルで表現できるので、分割されているファイル全ての情報をリストアすることができる。また、そのファイルの１部が外部サーバ上にあっても対応できるため汎用性やメンテナンス性を向上させることができる。
【０１０３】
また、従来の機器がサポートしていたＣＳＶファイル形式のアドレス帳情報を標準ＸＭＬフォーマットであるＦＯＡＦ形式に変換できるので、アドレス帳データの再利用の多様性が深めることができる。
【図面の簡単な説明】
【０１０４】
【図１】本発明の一実施例にかかるネットワークシステムを示したブロック図。
【図２】ネットワークファクシミリ装置ＦＸの構成例を示したブロック図。
【図３】ＦＯＡＦ関連情報、製造会社情報、および、関連機器情報の一例を示した概略図。
【図４】アドレス帳ファイルおよびアドレス情報の一例を示した概略図。
【図５】ネットワークファクシミリ装置ＦＸが公開しているＷｅｂページのトップページの画面の一例を示した概略図。
【図６】ＦＯＡＦ情報の一例を示した概略図。
【図７】ＦＯＡＦクライアントの表示画面の一例を示した概略図。
【図８】アドレス帳Ｗｅｂ画面の一例を示した概略図。
【図９】アドレス帳Ｗｅｂ個別画面の一例を示した概略図。
【図１０】バックアップ画面の一例を示した概略図。
【図１１】選択した表示対象のＦＯＡＦファイルの一例を示した概略図。
【図１２】見出し表示毎のＦＯＡＦファイルの一例を示した概略図。
【図１３】検索結果のＦＯＡＦファイルの一例を示した概略図。
【図１４】ユーザ別ＦＯＡＦファイルの一例を示した概略図。
【図１５】ユーザ別ＦＯＡＦファイルの一例（ｓｅｅＡｌｓｏ要素なし）を示した概略図。
【図１６】ＦＯＡＦ情報の取得が要求されたときのネットワークファクシミリ装置ＦＸが行うシーケンスの一例を示したシーケンス図。
【図１７】ＦＯＡＦ情報の取得が要求されたときのネットワークファクシミリ装置ＦＸが行う処理の一例を示したフローチャート。
【図１８】リストア画面の一例を示した概略図。
【図１９】リストア実行時にの操作項目ＩＭ１５が操作されると、入力されたＵＲＬからファイルを取得し、その内容に基づいて、アドレス帳情報の内容を書き換える処理の一例を示したフローチャート。
【図２０】ＣＳＶファイルの一例を示した概略図。
【図２１】ＣＳＶファイル読み込み画面の一例を示した概略図。
【図２２】ＣＳＶファイル形式のバックアップファイルが選択された場合に、１つの項目について、ＣＳＶからＸＭＬファイルの記述に変換した例を示した概略図。
【符号の説明】
【０１０５】
ＦＸ  ネットワークファクシミリ装置
１  システム制御部
２  システムメモリ
３  パラメータメモリ
【図１】
2007081618.tif 000003
【図２】
2007081618.tif 000004
【図３】
2007081618.tif 000005
【図４】
2007081618.tif 000006
【図５】
2007081618.tif 000007
【図６】
2007081618.tif 000008
【図７】
2007081618.tif 000009
【図８】
2007081618.tif 000010
【図９】
2007081618.tif 000011
【図１０】
2007081618.tif 000012
【図１１】
2007081618.tif 000013
【図１２】
2007081618.tif 000014
【図１３】
2007081618.tif 000015
【図１４】
2007081618.tif 000016
【図１５】
2007081618.tif 000017
【図１６】
2007081618.tif 000018
【図１７】
2007081618.tif 000019
【図１８】
2007081618.tif 000020
【図１９】
2007081618.tif 000021
【図２０】
2007081618.tif 000022
【図２１】
2007081618.tif 000023
【図２２】
2007081618.tif 000024